(57)【要約】      （修正有）【課題】他の瓦の頭側係止片を挿入するテーパー形状の挿入溝と、釘によって瓦間の固定強化を図ることを特徴とした耐震及び耐風屋根瓦を提供する。【解決手段】  瓦本体の釘孔膨出部６の隣接する部分に、他の瓦の頭側係止片５を挿入するテーパー形状を有する挿入溝と、釘によって上下左右の瓦のズレを防止した。また、アンダーラップ２の水返し突条２００が頭側係止片５の辺りでオーバーラップ側に内方した構成となっていることから、雨水の頭側係止片５や、屋根地ヘの浸水を防止した。【選択図】図１１
2006194042.tif 000002
【特許請求の範囲】
【請求項１】
瓦本体の一端側にアンダーラップを有し、他端側にオーバーラップを有する屋根瓦であって、
このアンダーラップの頭側端部にアンダーラップの表面より一段下った頭側係止片を設け、前記瓦本体の尻側に釘孔を備えた釘孔膨出部を設け、この釘孔膨出部に隣接し、他の瓦の頭側係止片の挿入を許すテーパー形状の挿入溝を設け、前記釘孔に打ちこんだ釘の張出部を前記他の瓦の頭側係止片に係止し、他の瓦を固定することを特徴とする耐震及び耐風屋根瓦。
【請求項２】
請求項１に記載した瓦のアンダーラップの一端に形成する水返し突条で、このアンダーラップ側の尻側より頭側端部に至るとともに、前記頭側係止片を区画する構成とした耐震及び耐風屋根瓦。
【請求項３】
請求項１に記載した瓦本体の尻側に形成する釘孔を備えた釘孔膨出部の一片を切欠いて、この釘孔膨出部に隣接して、テーパー形状の挿入溝を形成する耐震及び耐風屋根瓦。
【発明の詳細な説明】
【技術分野】
【０００１】
本発明は、耐震、耐風屋根瓦に関する。
【背景技術】
【０００２】
これらに関する発明の従来技術として、瓦本体の釘孔に打ちこんだ釘の係止頭又は，瓦の凸部を前記瓦の一片に係止するとともに、他の瓦を固定することを特徴とする屋根瓦は、特開平８−２８４３２４号や、特開２０００−２９１２０８が存在する。特開平８−２８４３２４号「屋根瓦の固定構造」は、瓦本体の棟側に位置する上端に穿設された釘孔に瓦固定用の釘を挿し込むことにより当該瓦と、当該釘の係止頭によって他の瓦のアンダーラップ部の水切りを固定するものである。即ち、屋根瓦の棟側の上端のみならず、桁行き方向の一側端をも固定するものであるので、屋根瓦の固定強度の増大化を図ることができるものである。一方、特開２０００―２９１２０８「防災瓦」は、強風による平板瓦のずれと浮きを防止し、耐風性能を向上させる様にした防災瓦に関する発明であり、瓦本体にアンダーラップを有し、釘孔に釘を挿し込むことにより当該瓦を固定するが、瓦本体に形成されている差込部の頭側端部に係合差込部を有し、当該係合差込部を葺き重ねた場合の下段瓦の係合凸部の下部の差込空間に挿し込むことにより頭側、尻側からの強風等に対しても、耐風機能が強化されたものである。
【０００３】
【特許文献１】特開平８−２８４３２４号
【０００４】
【特許文献２】特開２０００−２９１２０８
【発明の開示】
【発明が解決しようとする課題】
【０００５】
しかしながら、上述した従来技術は、例えば特開平８−２８４３２４号は、アンダーラップに落ちた雨水が瓦を固定している釘をつたって屋根地に達する場合がある。このように屋根地に雨水が浸入すると、雨水によって屋根地が濡れる場合があり、これが原因となって屋根地が腐蝕する虞等が生じる。また、当該瓦固定釘は、上段瓦と下段瓦を葺き合わせた後に打ちつけて固定するものであるため、瓦固定釘を打ちこんだ後に、上段瓦を差し込み葺きすることはできない。一方、特開２０００−２９１２０８は、千鳥葺きする場合の上段瓦の係合差込部を、下段瓦の係合凸部の差込空間に挿し込むが、下段瓦の挿入溝をテーパー形状としていないため、千鳥葺きした場合に上段瓦が上下左右に移動してしまう虞がある。
【課題を解決するための手段】
【０００６】
そこで本発明は、従来技術に基づく上述した解決すべき課題に鑑み、
請求項１に記載した発明であるところの瓦本体の一端側にアンダーラップを有し、他端側にオーバーラップを有する屋根瓦であって、
アンダーラップの頭側端部にアンダーラップの表面より一段下った頭側係止片を設け、瓦本体の尻側に釘孔を備えた釘孔膨出部を設け、請求項３に記載した発明であるところの瓦本体の尻側に形成する釘孔を備えた釘孔膨出部の一片を切欠いて、この釘孔膨出部に隣接し、他の瓦の頭側係止片の挿入を許すテーパー形状の挿入溝と、前記釘孔に打ちこんだ釘の張出部を上段瓦の頭側係止片に係止することによって当該釘を打ちこんだ下段瓦と上段の他の瓦が上下左右に移動するのを防止するとともに、
請求項２に記載した発明であるところのアンダーラップの一端に形成する水返し突条で、このアンダーラップ側の尻側より頭側端部に至るとともに、前記頭側係止片を区画する構成、即ち、頭側係止片の辺りの水返し突条がアンダーラップの水返し突条より瓦本体の内方に位置することによって、アンダーラップに落ちた雨水が水返し突上に沿ってアンダーラップの頭側内方に流れ落ちることにより、アンダーラップに落ちた雨水が瓦連結用固定釘をつたって釘孔と当該釘の間に入るのを防ぎ、瓦棧の腐蝕を防止することを特徴とする耐震及び耐風屋根瓦と、
瓦本体の尻側に形成する釘孔を有する釘孔膨出部の釘孔に瓦固定用釘を打ちこむことにより当該瓦を、前記釘の張出部が他の瓦のアンダーラップ部の頭側係止片に係止することにより他の瓦を同時に固定可能とすることを特徴とする瓦連結用固定釘によって屋根瓦の固定を強化するようにして、耐震及び耐風機能を高め、上記課題を解決することとしたものである。
【発明の効果】
【０００７】
本発明は、以上説明したものであるから、以下に記載されるような効果を奏する。
【０００８】
請求項１に記載された発明は、瓦本体の一端側にアンダーラップを有し、他端側にオーバーラップを有する屋根瓦であって、
このアンダーラップの頭側端部にアンダーラップの表面より一段下った頭側係止片を設け、前記瓦本体の尻側に釘孔を備えた釘孔膨出部を設け、この釘孔膨出部に隣接し、他の瓦の頭側係止片の挿入を許すテーパー形状の挿入溝を設け，前記釘孔に打ちこんだ瓦固定用連結釘の張出部を前記他の瓦の頭側係止片に係止し、前記他の瓦を固定することを特徴とする耐震及び耐風屋根瓦である。
【０００９】
従って、請求項１に記載された発明は、釘を打ちこんだ当該瓦と、釘の張出部によって葺き重ねた場合の上段瓦を固定することができ、釘を打ちこんだ瓦のみならず、他の瓦をも固定することができるため、より強固な瓦間の固定によって耐震及び耐風効果が得られることとなる。また、瓦の葺き方においては、千鳥葺きした後に釘を打ちこむ方法のみならず、釘を打ちこんだ後に葺き重ねる上段瓦を下段瓦の挿入溝に挿し込むことができる。例えば、瓦を千鳥葺きした後に瓦固定用連結釘を打ちこむ方法の他、本発明に係る瓦においては、瓦連結用固定釘を打った後に上段瓦を葺き合わせることができるため、瓦の葺設方法の選択肢が増えることになる。
【００１０】
また、釘を打ちこんだ後に葺き重ねる上段瓦を下段瓦の挿入溝に挿し込む葺設方法の場合は、下段瓦に釘を打ちこんだ後に上段瓦を挿入するものであるため、例えば，上段瓦の一部が欠損してしまい、上段瓦のみ修復を有する場合に、上段瓦に打ちこまれている釘を抜けば上段瓦を容易に取り外すことができるため、瓦の修復作業が今まで以上に容易かつ短時間でできるようになる。
【００１１】
請求項２に記載された発明は、請求項１に記載した瓦のアンダーラップの一端に形成する水返し突条で、このアンダーラップ側の尻側より頭側端部に至るとともに、前記頭側係止片を区画する構成とした耐震及び耐風屋根瓦である。
【００１２】
従って、アンダーラップ上に落ちた雨水が、水返し突条に沿って瓦本体の頭側に流れ落ちるため、頭側係止片に流れ込むことがなく、また、頭側係止片を固定する瓦固定用釘の釘孔にも雨水が落ちることがないため、雨水が釘をつたって進入し、釘と釘孔を通過して屋根地や瓦棧に到達することによる瓦棧の腐食を防止することができる。
【００１３】
請求項３に記載された発明は、請求項１に記載した瓦本体の尻側端部に形成する釘孔を備えた釘孔膨出部の一片を切欠いて、この釘孔膨出部に隣接しているテーパー形状の挿入溝を形成する耐震及び耐風屋根瓦である。
【００１４】
従って、下段瓦の釘穴膨出部に隣接する挿入溝は角度を付けたテーパー形状を有するため、葺き重ねた際、上段瓦の頭側係止片を下段瓦の挿入溝に挿入することによって、このテーパー形状の溝により上下間の瓦には摩擦が生じることや、上段瓦と下段瓦の上下間のズレを防止することができることとなり、上下間の瓦をより強固に固定することができる。また、角度を付けたテーパー形状の挿入溝に、上段瓦の頭側係止片が嵌合されることによって、左右における瓦のズレをも防止することができる。
【発明を実施するための最良の形態】
【００１５】
以下、図面を使って、本発明の実施の形態を説明する。
【００１６】
図１は本発明の瓦本体１の平面図を示しているが、まず当該瓦本体１は、オーバーラップ３とアンダーラップ２とを備えている。そして、アンダーラップ２の一端側には、アンダーラップ２を囲むようにして水返し突条２００を形成し、頭側係止片５の辺りの部分がアンダーラップ２の水返し突条２００より瓦本体１の内方に位置する。即ち、この頭側係止片５の内方側を囲繞するようにアンダーラップ２の水返し突条２００が形成されている。従って、このアンダーラップ２の表面２ａを流れる雨水を頭側係止片５に流さない構成である。この構成を利用することで、この頭側係止片５に係止される瓦固定用釘１０の釘孔６ａへの雨水の誘導を回避できる。また雨水が、釘孔６ａを備えた釘孔膨出部６の釘穴６ａに浸入することを防止して、屋根地への雨水の進入を回避し、場合により屋根地の腐蝕防止に役立てる。
【００１７】
アンダーラップ２側にある釘孔６ａを有する釘孔膨出部６のオーバーラップ側の一端部を切欠いてテーパー形状の挿入溝４を形成し、この挿入溝４には、千鳥葺きにて葺き重ねた場合の上段瓦Ｂの裏面１ｂの頭側１−１に設けた頭側係止片５の端部が挿入され、上段瓦Ｂと下段瓦Ａとが係止される。そして、この一例では、挿入溝４は角度を有するテーパー形状であるから、周知のテーパー形状を有していない挿入溝に上段瓦を挿入して瓦を固定する場合に比べて、より強固な固定が可能となる。そして、テーパー形状の挿入溝４のテーパー形状の角度は、瓦を千鳥葺きした場合の葺き勾配に合せるような角度を付けることによって、千鳥葺きした場合に上下間の瓦によってなだらかな屋根の形態を醸し出し、外観上でのデザインがより一層良好のものとなる。但し、葺き勾配に合せるような角度を付けることが望ましが、このような角度をつけることに限定されるものではない。
【００１８】
瓦本体１の頭側１−１には、瓦の表面１ａに落ちた雨水を、葺き重ねた際の下段瓦Ａに落すために、垂れ部８を形成している。この垂れ部８は、瓦本体１の頭側１−１の端部付近においては緩やかなテーパー形状によって構成されている。
【００１９】
瓦本体１のアンダーラップ２の尻側２−２端部から頭側２−１端部までの長さは、オーバーラップ３の尻側１−２端部から頭側１−１端部までの長さより短い構成となっている。
【００２０】
瓦本体１の尻側１−２の表面１ａの一部に、水返し突条２０１が形成されている。この水返し突条２０１により、頭側１−１から強風等によって雨水が瓦本体１の尻側１−２に進入するのを防止するものである。
【００２１】
瓦連結用固定釘１０の一部分である杭打ち頭部１０ｃが、同じく瓦連結用固定釘１０の一部分である杭部の上端より一方向に張り出す張出部１０ｂを有するＬ字型の瓦連結用固定釘１０を瓦本体１の尻側１−２に構成する釘孔を有する釘孔膨出部６の釘孔６ａに挿し込むことにより当該瓦Ａを固定するのみならず、前記瓦連結用固定釘１０の張出部１０ｂによって葺き重ねる場合の上段瓦Ｂをも固定することができることとなり、より強固な固定が期待できる。
【００２２】
図２は、本発明の瓦本体１の裏面図であり、アンダーラップ２側の頭側１−１端部に構成されている頭側係止片５の部分と、瓦本体１の表面１ａの尻側１−２端部には欠部７の部分があり、垂れ部８の部分が裏面においては膨出している。また、葺き重ねた場合に下段瓦Ａの尻側１−２の端部が当接する垂れ部８の窪んだ切欠き部９は、オーバーラップ３の裏面１ｂと略同じ面である。
【００２３】
また、葺き重ねた場合の下段の両瓦の端部の膨出部１００が当たる頭側１−１の部分は、一段下った構成となっている。頭側１−１の垂れ部８の膨出部は、瓦本体の内側に向かっていくにつれ、緩やかなテーパー形状を有している。
【００２４】
アンダーラップ２の反対側の端部が他の裏面１ｂよりも一段下がっている。また、裏面１ｂのオーバーラップ３側の端部に、尻側１−２から頭側１−１にかけて、係止突条２０２が存在する。この係止突条２０２により雨水の進入の防止や、千鳥葺きした場合の隣接する瓦間のずれを防止することができる。
【００２５】
釘孔を設けた釘孔膨出部６の裏面１ｂは、一段窪んでいる構成となっている。そしてこの一段窪んだ溝のほぼ中央に釘孔６ａを形成している。
【００２６】
図３は、本発明の瓦本体１の正面視示図である。垂れ部８の略中央に切欠き部９を形成し、瓦本体１の頭側１−１の端部付近において緩やかなテーパーを有している。即ち、下段瓦Ａのオーバーラップ３の端部があたる部分は、窪んだ構成となっている。
【００２７】
アンダーラップ２部分は、オーバーラップ３側より一段下っている構成となっている。そして、テーパー形状の挿入溝４に隣接する方の釘孔を設けた釘孔膨出部６は、瓦本体１の尻側１−２端部表面よりも膨出している。
【００２８】
アンダーラップ２の表面１ａは、瓦本体１の頭側１−１の端部付近において緩やかなテーパー形状を構成しており、頭側１−１端部においては、略垂直に下がっている。また、アンダーラップ２の尻側１−２から頭側１−１にかけて水返し突条２００が形成されており、頭側係止片５に隣接する部分の水返し突条２００は、瓦本体１の内方に位置している。
【００２９】
アンダーラップ２の端部に構成されている水返し突条２００は、表面２ａより一段上がっている。そして、アンダーラップ２の頭側２−１端部に構成されている頭側係止片５は緩やかなテーパー形状を有している。
【００３０】
図４は、本発明の瓦本体１の背面図である。瓦本体１の欠部７が、三角形状となっている。また、釘孔を設けた釘孔膨出部６が尻側１−２端部の表面１ａより膨出している。アンダーラップ２が、瓦本体１の表面１ａより一段下がっている。
【００３１】
瓦本体１の表面１ａの膨出部１００，１０１以外の部分は、瓦本体１の尻側１−２の端部表面１ａよりも一段窪んだ構成となっている。
【００３２】
表面１ａの膨出部１００の裏面に、係止突条２０２が構成されている。
【００３３】
図５は、本発明の瓦本体１の左側面図である。アンダーラップ２の部分が、瓦本体１の表面１ａよりも一段下がっており、頭側係止片５は、さらに一段下がっている。瓦本体１の膨出部１０１が、頭側１−１端部付近において緩やかなテーパー形状を有している。
【００３４】
図６は、本発明の瓦本体１の右側面図である。端部に水返し突条２０１を有している。瓦本体１の膨出部１００が、瓦の頭側１−１の端部付近において緩やかなテーパー形状を有している。
【００３５】
図９は、本発明の瓦本体１のアンダーラップ２の拡大斜視図である。アンダーラップ２が瓦本体１の表面１ａよりも一段下がっており、頭側係止片５にあたる部分は、さらに一段下がっている。
【００３６】
図１０は、釘孔を設けた釘孔膨出部６と、テーパー形状の挿入溝４を示す拡大斜視図である。釘孔を設けた釘孔膨出部６に隣接する部分から瓦本体１の尻側１−２の端部にかけてテーパー形状の挿入溝４を構成している。この角度を有するテーパー形状によって上下間の瓦のズレを防止する他、横ズレをも防止することができる。釘孔を設けた釘孔膨出部６が、瓦本体１の尻側１−２端部表面１ａよりも膨出している。また、瓦本体１の尻側の表面１ａに水返し突条２０１を構成している。
【００３７】
図１１は、瓦本体１である本発明に係る瓦本体１を葺き合わせた場合の要部拡大図である。葺き方としては、瓦本体１である下段瓦Ａの釘孔６ａに瓦連結用固定釘１０を挿し込んだ後に、上段瓦Ｂを葺くことができ、また、上段瓦Ｂと下段瓦Ａを千鳥葺きした後に瓦連結用固定釘１０を下段瓦Ａに打ち込む方法が考えられる。
【００３８】
図１２は、本発明に係る瓦本体１を千鳥葺きした図面ある。
【００３９】
図１３は、瓦連結用固定釘１０を示した全体図である。当該瓦連結固定釘１０は、釘本体１０ａと杭打ち頭部１０ｃ、張出部１０ｂから構成されており、釘全体の形状としては、いわゆる、逆Ｌ字型の形状となっている。そして、釘本体部分１０ａはいわゆるスクリュー加工されている。また、瓦連結固定釘１０の材質は、サビが発生しないことや、膨張しないとゆう特徴より、ステンレスが望ましいが、特に限定されるものではなく、どのような素材であっても問わない。
【図面の簡単な説明】
【００４０】
【図１】図１は、本発明の平面図である。
【図２】図２は、本発明の裏面図である。
【図３】図３は、本発明の正面視示図である。
【図４】図４は、本発明の背面図である。
【図５】図５は、本発明の左側面図である。
【図６】図６は、本発明の右側面図である。
【図７】図７は、本発明のアンダーラップの頭側の拡大図である。
【図８】図８は、本発明の瓦本体の尻側の拡大図である。
【図９】図９は、本発明の頭側係止片を示す拡大斜視図である。
【図１０】図１０は、本発明の釘孔を設けた釘孔膨出部と、テーパー形状の挿入溝の拡大斜視図である。
【図１１】図１１は本発明の、瓦を葺き合わせた場合の上段瓦と、下段瓦の結合部の要部拡大図である。
【図１２】図１２は、本発明に係る瓦を千鳥葺きした図である。
【図１３】図１３は、本発明である瓦連結固定釘の全体図である。
【符号の説明】
【００４１】
１          瓦本体
１−１      頭側
１−２      尻側
１ａ          表面
１ｂ          裏面
１００      膨出部
１０１      膨出部
２          アンダーラップ
２００      水返し突条
２０１      水返し突条
２０２      係止突条
３          オーバーラップ
４          テーパー形状の挿入溝
５          頭側係止片
６          釘孔を設けた釘孔膨出部
６  ａ      釘孔
７          欠部
８          垂れ部
９          切欠き部
１０        瓦連結用固定釘
１０ａ      釘本体
１０ｂ      張出部
１０ｃ      杭打ち頭部
Ａ          下段瓦
Ｂ          上段瓦
【図１】
2006194042.tif 000003
【図２】
2006194042.tif 000004
【図３】
2006194042.tif 000005
【図４】
2006194042.tif 000006
【図５】
2006194042.tif 000007
【図６】
2006194042.tif 000008
【図７】
2006194042.tif 000009
【図８】
2006194042.tif 000010
【図９】
2006194042.tif 000011
【図１０】
2006194042.tif 000012
【図１１】
2006194042.tif 000013
【図１２】
2006194042.tif 000014
【図１３】
2006194042.tif 000015
【手続補正書】
【提出日】平成17年1月18日(2005.1.18)
【手続補正１】
【補正対象書類名】明細書
【補正対象項目名】００２２
【補正方法】変更
【補正の内容】
【００２２】
図２は、本発明の瓦本体１の裏面図であり、アンダーラップ２側の頭側１−１端部に構成されている頭側係止片５の部分と、瓦本体１の表面１ａの尻側１−２端部には欠部７の部分があり、垂れ部８の部分が裏面においては膨出している。また、葺き重ねた場合に下段瓦Ａの尻側１−２の端部が当接する垂れ部８の窪んだ切欠き部９は、オーバーラップ３の裏面１ｂと略同じ面である。また、１１は裏面尻側に設けた引掛けである。
【手続補正２】
【補正対象書類名】明細書
【補正対象項目名】００４１
【補正方法】変更
【補正の内容】
【００４１】
１          瓦本体
１−１      頭側
１−２      尻側
１ａ        表面
１ｂ        裏面
１００      膨出部
１０１      膨出部
２          アンダーラップ
２００      水返し突条
２０１      水返し突条
２０２      係止突条
３          オーバーラップ
４          テーパー形状の挿入溝
５          頭側係止片
６          釘孔を設けた釘孔膨出部
６ａ        釘孔
７          欠部
８          垂れ部
９          切欠き部
１０        瓦連結用固定釘
１０ａ      釘本体
１０ｂ      張出部
１０ｃ      杭打ち頭部
１１        引掛け
Ａ          下段瓦
Ｂ          上段瓦